(57)【要約】【課題】電子式手ブレ補正と機械式手ブレ補正を併用した撮像装置に於いて、撮影者の意図した画角の撮影画像が得られる撮像装置を提供することである。【解決手段】ブレ検出部６１の出力に基づいてＣＣＤユニット２２から所定のフレームレートで出力される撮像信号の切り出し位置を変化させて、フレーム間で発生する動画のブレを補正する第１のブレ補正をライブビュー表示時に行い、上記ブレ検出部６１の出力に基づいて上記ＣＣＤユニット２２の一部を変移させることで、静止画のブレを補正する第２のブレ補正を静止画撮影時に行う。そして、撮影されたデータに、撮影動作開始時の上記第１のブレ補正による切り出し位置情報を付与して記録メディアに記録する。【選択図】      図２
2006261783.tif 000002
【特許請求の範囲】
【請求項１】
被写体像を形成する撮影光学系と、
上記撮影光学系の被写体像を撮像信号に変換する撮像手段と、
上記撮像手段の撮像信号に所定の処理を施して画像データを生成する処理手段と、
上記処理手段が生成した画像データを記録する記録手段と、
上記撮影光学系の被写体像を表示するための表示手段と、
撮影装置のブレを検出するブレ検出手段と、
上記ブレ検出手段の出力に基づいて上記撮像手段から所定のフレームレートで出力される撮像信号の切り出し位置を変化させることで、フレーム間で発生する動画のブレを補正する第１のブレ補正手段と、
上記ブレ検出手段の出力に基づいて上記撮像手段若しくは上記撮像光学系の一部を変移させることで、静止画のブレを補正する第２のブレ補正手段と、
撮影動作の前に上記表示手段に上記被写体像を動画像で表示する際には上記第１のブレ補正手段を動作させ、静止画の撮影動作中は上記第２のブレ補正手段を動作させて、上記処理手段が生成した画像データに、撮影動作開始時の上記第１のブレ補正手段の切り出し位置情報を付与して上記記録手段へ記録する制御手段と、
を具備することを特徴とする撮像装置。
【請求項２】
被写体像を形成する撮影光学系と、
上記撮影光学系の被写体像を撮像信号に変換する撮像手段と、
上記撮像手段の撮像信号に所定の処理を施して画像データを生成する処理手段と、
上記処理手段が生成した画像データを記録する記録手段と、
上記撮影光学系の被写体像を表示するための表示手段と、
撮影装置のブレを検出するブレ検出手段と、
上記ブレ検出手段の出力に基づいて上記撮像手段から所定のフレームレートで出力される撮像信号の切り出し位置を変化させることで、フレーム間で発生する動画のブレを補正する第１のブレ補正手段と、
上記ブレ検出手段の出力に基づいて上記撮像手段若しくは上記撮像光学系の一部を変移させることで、静止画のブレを補正する第２のブレ補正手段と、
撮影動作の前に上記表示手段に上記被写体像を動画像で表示する際には上記第１のブレ補正手段を動作させ、静止画の撮影動作中は上記第２のブレ補正手段を動作させて、撮影動作開始時の上記第１のブレ補正手段からの切り出し位置情報に応じて、上記処理手段がトリミングした画像データを上記記録手段へ記録する手段と、
を具備することを特徴とする撮像装置。
【請求項３】
上記記録手段から画像データを読み出し、該画像データと共に記録された上記切り出し位置情報に応じて該画像データの所定領域を上記表示手段へ表示させる画像再生手段を更に具備することを特徴とする請求項１に記載の撮像装置。
【請求項４】
上記記録手段から画像データを読み出してトリミング編集が可能であって、該画像データと共に記録された上記切り出し位置情報を、上記表示手段へ、上記画像データと共にトリミング領域として表示するトリミング手段を更に具備することを特徴とする請求項１に記載の撮像装置。
【請求項５】
上記撮影動作開始時の上記第１のブレ補正手段の切り出し位置情報は、画像データのヘッダ情報として記録されることを特徴とする請求項１に記載の撮像装置。
【請求項６】
被写体像を形成する撮影光学系と、
上記撮影光学系が形成する被写体像を動画表示するための第１の撮像手段と、
上記撮影光学系が形成する被写体像を静止画で捕らえるための第２の撮像手段と、
上記第２の撮像手段の捕らえた静止画を所定の画像データに変換し記録する記録手段と、
上記撮影光学系が形成する被写体像を表示するための表示手段と、
撮影装置のブレを検出するブレ検出手段と、
上記ブレ検出手段の出力に基づいて上記第１の撮像手段から所定のフレームレートで出力される撮像信号の切り出し位置を変化させることで、フレーム間で発生する動画のブレを補正する第１のブレ補正手段と、
上記ブレ検出手段の出力に基づいて上記第２の撮像手段を変移させることで、静止画のブレを補正する第２のブレ補正手段と、
上記表示手段に上記被写体像を動画像で表示する際には上記第１のブレ補正手段を動作させ、静止画の撮影動作中は上記第２のブレ補正手段を動作させる制御手段と、
を備える撮像装置に於いて、
上記表示手段で動画表示される表示領域と上記第２の撮像手段が静止画で捕らえる撮影領域は略一致することを特徴とする撮像装置。
【請求項７】
第１の位置と第２の位置とに設定可能なクイックリターンミラーを更に具備し、
該クイックリターンミラーが撮影光路内の第１の位置にある場合は上記第１の撮像手段へ上記被写体像が形成され、上記撮影光路より退避した第２の位置にある場合は上記第２の撮像手段へ上記被写体像が形成されることを特徴とする請求項６に記載の撮像装置。
【発明の詳細な説明】
【技術分野】
【０００１】
本発明は撮像装置に関し、より詳細には、手ブレ補正機構を搭載したデジタルカメラ、デジタルビデオカメラに関するものである。
【背景技術】
【０００２】
カメラのブレ振動を角速度センサ、画像データ等を用いて検出し、その出力に基づいて画像のブレを補正する手ブレ補正方法が各種提案されている。手ブレ補正の方法としては、撮影光学系の一部若しくは撮像素子を、ブレを打ち消す方向に、光軸に垂直な平面で水平、垂直方向にそれぞれ独立に機械的にシフトさせて、撮影面上のブレを抑圧する方法が知られている。
【０００３】
また、画像出力範囲よりも広い範囲を撮像し、撮像装置のブレによって引き起こされた撮像光学系が形成する被写体像のフレーム間の移動量を打ち消すように、画像出力範囲を変動させる電子的な手ブレ補正方法もビデオカメラを中心に広く用いられている。
【０００４】
更に、上述した２つの手ブレ補正方法を組み合わせて、画像を表示して撮影する被写体を狙っているときには電子的な手ブレ補正方法を用い、撮影者がレリーズ釦を押して画像を記録するときには機械的な手ブレ補正に切り替えることにより、余分なエネルギー消費を防止する方法が知られている（例えば、特許文献１参照）。
【特許文献１】特開２０００−６９３５１号公報
【発明の開示】
【発明が解決しようとする課題】
【０００５】
しかしながら、上記特許文献１に記載されたような補正方法に於いて、電子的な手ブレ補正は、撮像範囲の一部を切り出してブレを抑制するのに対して、機械的な手ブレ補正は全撮像範囲を記録することができる。そのため、被写体を狙っているときに表示される画角と、記録される撮影画像の画角が異なり、撮影者の意図しない画角の写真が撮影されてしまうという課題を有していた。
【０００６】
したがって本発明の目的は、電子式手ブレ補正と機械式手ブレ補正を併用した撮像装置に於いて、撮影者の意図した画角の撮影画像が得られる撮像装置を提供することである。
【課題を解決するための手段】
【０００７】
すなわち請求項１に記載の発明は、被写体像を形成する撮影光学系と、上記撮影光学系の被写体像を撮像信号に変換する撮像手段と、上記撮像手段の撮像信号に所定の処理を施して画像データを生成する処理手段と、上記処理手段が生成した画像データを記録する記録手段と、上記撮影光学系の被写体像を表示するための表示手段と、撮影装置のブレを検出するブレ検出手段と、上記ブレ検出手段の出力に基づいて上記撮像手段から所定のフレームレートで出力される撮像信号の切り出し位置を変化させることで、フレーム間で発生する動画のブレを補正する第１のブレ補正手段と、上記ブレ検出手段の出力に基づいて上記撮像手段若しくは上記撮像光学系の一部を変移させることで、静止画のブレを補正する第２のブレ補正手段と、撮影動作の前に上記表示手段に上記被写体像を動画像で表示する際には上記第１のブレ補正手段を動作させ、静止画の撮影動作中は上記第２のブレ補正手段を動作させて、上記処理手段が生成した画像データに、撮影動作開始時の上記第１のブレ補正手段の切り出し位置情報を付与して上記記録手段へ記録する制御手段と、を具備することを特徴とする。
【０００８】
請求項２に記載の発明は、被写体像を形成する撮影光学系と、上記撮影光学系の被写体像を撮像信号に変換する撮像手段と、上記撮像手段の撮像信号に所定の処理を施して画像データを生成する処理手段と、上記処理手段が生成した画像データを記録する記録手段と、上記撮影光学系の被写体像を表示するための表示手段と、撮影装置のブレを検出するブレ検出手段と、上記ブレ検出手段の出力に基づいて上記撮像手段から所定のフレームレートで出力される撮像信号の切り出し位置を変化させることで、フレーム間で発生する動画のブレを補正する第１のブレ補正手段と、上記ブレ検出手段の出力に基づいて上記撮像手段若しくは上記撮像光学系の一部を変移させることで、静止画のブレを補正する第２のブレ補正手段と、撮影動作の前に上記表示手段に上記被写体像を動画像で表示する際には上記第１のブレ補正手段を動作させ、静止画の撮影動作中は上記第２のブレ補正手段を動作させて、撮影動作開始時の上記第１のブレ補正手段からの切り出し位置情報に応じて、上記処理手段がトリミングした画像データを上記記録手段へ記録する手段と、を具備することを特徴とする。
【０００９】
請求項３に記載の発明は、請求項１に記載の発明に於いて、上記記録手段から画像データを読み出し、該画像データと共に記録された上記切り出し位置情報に応じて該画像データの所定領域を上記表示手段へ表示させる画像再生手段を更に具備することを特徴とする。
【００１０】
請求項４に記載の発明は、請求項１に記載の発明に於いて、上記記録手段から画像データを読み出してトリミング編集が可能であって、該画像データと共に記録された上記切り出し位置情報を、上記表示手段へ、上記画像データと共にトリミング領域として表示するトリミング手段を更に具備することを特徴とする。
【００１１】
請求項５に記載の発明は、請求項１に記載の発明に於いて、上記撮影動作開始時の上記第１のブレ補正手段の切り出し位置情報は、画像データのヘッダ情報として記録されることを特徴とする。
【００１２】
請求項６に記載の発明は、被写体像を形成する撮影光学系と、上記撮影光学系が形成する被写体像を動画表示するための第１の撮像手段と、上記撮影光学系が形成する被写体像を静止画で捕らえるための第２の撮像手段と、上記第２の撮像手段の捕らえた静止画を所定の画像データに変換し記録する記録手段と、上記撮影光学系が形成する被写体像を表示するための表示手段と、撮影装置のブレを検出するブレ検出手段と、上記ブレ検出手段の出力に基づいて上記第１の撮像手段から所定のフレームレートで出力される撮像信号の切り出し位置を変化させることで、フレーム間で発生する動画のブレを補正する第１のブレ補正手段と、上記ブレ検出手段の出力に基づいて上記第２の撮像手段を変移させることで、静止画のブレを補正する第２のブレ補正手段と、上記表示手段に上記被写体像を動画像で表示する際には上記第１のブレ補正手段を動作させ、静止画の撮影動作中は上記第２のブレ補正手段を動作させる制御手段と、を備える撮像装置に於いて、上記表示手段で動画表示される表示領域と上記第２の撮像手段が静止画で捕らえる撮影領域は略一致することを特徴とする。
【００１３】
請求項７に記載の発明は、請求項６に記載の発明に於いて、第１の位置と第２の位置とに設定可能なクイックリターンミラーを更に具備し、該クイックリターンミラーが撮影光路内の第１の位置にある場合は上記第１の撮像手段へ上記被写体像が形成され、上記撮影光路より退避した第２の位置にある場合は上記第２の撮像手段へ上記被写体像が形成されることを特徴とする。
【発明の効果】
【００１４】
本発明によれば、電子式手ブレ補正と機械式手ブレ補正を併用した撮像装置に於いて、撮影者の意図した画角の撮影画像が得られる撮像装置を提供することができる。
【発明を実施するための最良の形態】
【００１５】
以下、図面を参照して、本発明の実施形態を説明する。
【００１６】
（第１の実施形態）
図１は、本発明の第１の実施形態に係る撮像装置としてのカメラシステムの構成を示すブロック図である。
【００１７】
図１に於いて、このカメラシステムは、レンズユニット１０と、ボディユニット２０とから主に構成されている。
【００１８】
上記レンズユニット１０は、撮影レンズ１１と、この撮影レンズ１１を支持するレンズ枠１２と、シャッタ１３と、シャッタ駆動機構１４と、レンズ駆動機構１５と、レンズ駆動回路１６と、シャッタ駆動回路１６とを有して構成されている。
【００１９】
上記撮影レンズ１１は撮像光学系を形成するもので、レンズ駆動回路１６からの出力を受けて、レンズ駆動機構１５内に存在する図示されないＤＣモータによって、光軸方向に駆動される。これにより、ズーム、フォーカス等の調節が行われる。また、シャッタ１３は、シャッタ駆動回路１７からの出力を受けて、シャッタ駆動機構１４内の図示されないモータによって駆動される。上記レンズ駆動回路１６及びシャッタ駆動回路１７は、後述するカメラ制御用コントローラ２５からの指令に従って制御される。
【００２０】
一方、ボディユニット２０は、以下のように構成されている。
【００２１】
撮像光学系の光軸上には、光学ローパスフィルタ２１と、光学系を通過した被写体像を光電変換するためのＣＣＤユニット２２が設けられており、撮影時には、シャッタ駆動回路１７によりシャッタ１３が駆動されて、撮影レンズ１１を通った光束がＣＣＤユニット２２の撮像面上に結像される。
【００２２】
ボディユニット２０は、このカメラ全体の制御動作を司るカメラ制御用コントローラ（以下、Ｍμｃｏｍと略記する）２５を有している。そして、このＭμｃｏｍ２５内には、画像処理を行う処理手段である画像処理回路２４を有している。この画像処理回路２４には、上記ＣＣＤユニット２２に接続されたＣＣＤインターフェース回路２３からの画像データが入力される。
【００２３】
また、上記Ｍμｃｏｍ２５には、上記ＣＣＤインターフェース回路２３の他、記憶領域として設けられたＳＤＲＡＭ３１、ＦｌａｓｈＲｏｍ３２及び記録メディア３３と、液晶モニタ３５等が接続されている。これらは、画像処理回路２４と共に、電子撮像機能及び電子記録表示機能を提供できるように構成されている。
【００２４】
上記画像データは、画像処理回路２４にてビデオ信号に変換された後、表示手段である液晶モニタ３５に出力表示される。操作者は、この液晶モニタ３５の表示画像から、撮影前のスルー画表示（ライブビュー表示）時の画像、及び撮影した画像イメージを確認することができる。
【００２５】
また、上記ＳＤＲＡＭ３１は、画像データの一時的保管用のメモリであり、画像データが変換される際のワークエリア等に使用される。この画像データは、ＪＰＥＧデータ等に変換された後に、記録メディア３３に保管されるように設定されている。
【００２６】
上記記録メディア３３は、図示されないカメラのインターフェースを介してボディユニット２０に対し脱着可能な各種のメモリカードや外付けのハードディスクドライブ（ＨＤＤ）等の外部記録媒体である。また、その他の記憶領域として、カメラ制御に必要な所定の制御パラメータを記憶する不揮発性記憶手段として、例えばＥＥＰＲＯＭから成る不揮発性メモリ３６が、Ｍμｃｏｍ２５からアクセス可能に設けられている。
【００２７】
上記Ｍμｃｏｍ２５には、更に、ストロボ制御回路２８を介してストロボ装置２９と、手ブレ補正ユニット３８と、カメラ操作スイッチ（ＳＷ）４０と、電源回路４１を介して電源としての電池４２と、上述したレンズ駆動回路１６及びシャッタ駆動回路１７とが接続されている。
【００２８】
ストロボ装置２９は、図示されない閃光発光管を有して被写体に閃光を照射する閃光発光装置である。そして、ストロボ制御回路２８にて、ストロボ装置２９の閃光発光管の発光に必要な電荷の充電制御や、ストロボ装置２９の発光制御が行われる。
【００２９】
手ブレ補正ユニット３８は、Ｍμｃｏｍ２５の指示に基づいてカメラのブレを補正するためのものである。尚、この手ブレ補正ユニット３８の詳細については後述する。
【００３０】
上記カメラ操作スイッチ４０は、例えば撮影動作の実行を指示するレリーズスイッチ、撮影モードと画像表示モードを切り替えるモード変更スイッチ及びパワースイッチ、等、当該カメラを操作するために必要な操作釦を含むスイッチ群で構成される。
【００３１】
更に、電源回路４１は、電源としての電池４２の電圧を、当該カメラシステムの各回路ユニットが必要とする電圧に変換して供給するために設けられている。
【００３２】
図２は、図１に示される手ブレ補正ユニット３８の構成を示すブロック図である。
【００３３】
図２に於いて、手ブレ補正ユニット３８は、ＣＣＤユニット２２に接続されている。そして、手ブレ補正ユニット３８は、手ブレ補正制御用マイクロコンピュータ（以下、Ｔμｃｏｍと略記する）６０と、ブレ検出部６１と、ブレ補正駆動回路６２と、ブレ補正駆動回路６２に接続されたブレ補正駆動機構６３と、位置検出センサ６４とを有して構成される。
【００３４】
Ｔμｃｏｍ６０ではブレ補正の制御が行われ、該Ｔμｃｏｍ６０と電気的接続がなされたＭμｃｏｍ２５からの指示に従って動作が行われる。カメラのブレはブレ検出手段であるブレ検出部６１によって検出され、Ｔμｃｏｍ６０に入力される。Ｔμｃｏｍ６０では、その入力される信号に基づいてブレ補正量の演算が行われる。
【００３５】
また、操作者によって静止画撮影準備動作の開始が指示されると、通信ラインを介してＭμｃｏｍ２５にブレ補正量に応じた信号が送信される。Ｍμｃｏｍ２５では、受信したブレ補正量に応じた信号に基づいて、画像処理回路２４にブレ補正のための画像切り出し位置が指示され、液晶モニタ３５にブレの補正されたライブビュー画像が表示される。
【００３６】
そして、操作者によって静止画撮影の開始が指示されると、ブレ補正駆動回路６２ヘブレ補正量に応じた信号が送信される。ＣＣＤユニット２２は、ブレ補正駆動機構６３内の図示されないモータによって駆動される。このモータは、上記ブレ補正駆動回路６２によって生成される電気信号により動作する。また、ＣＣＤユニット２２の駆動位置は、位置検出センサ６４によって検出され、ここからＴμｃｏｍ６０に送られてフィードバック制御が行われる。
【００３７】
次に、図３（ａ）のフローチャートを参照して、本実施形態に於けるカメラシステムの静止画撮影モード時の動作例について説明する。
【００３８】
操作者によって、カメラが静止画撮影モードに設定されると、本ルーチンが開始される。そして、先ず、ステップＳ１にて、液晶モニタ３５へのライブビュー表示の出カが開始される。次いで、ステップＳ２に於いて、操作者による静止画撮影準備動作の開始指示を行う、レリーズスイッチに対応したシャッタ釦の半押し動作（ファーストレリーズ；１Ｒ）待ち状態となる。ここで、ファーストレリーズがオンにされると、ステップＳ３へ移行する。
【００３９】
ステップＳ３では、ブレ検出部６１の動作が開始される。その後、ステップＳ４にてブレ補正量演算が開始される。ここで演算されたブレ補正量は、ステップＳ５にてＭμｃｏｍ２５に送信される。そして、続くステップＳ６にて、ＣＣＤユニット２２に結像された画像の切り出し位置がブレ補正量に応じた量だけ変更されることによって、ライブビュー画像のブレ補正が行われる。
【００４０】
ここで、ステップＳ７に於いて、ファーストレリーズの状態が検出される。その結果、ファーストレリーズのオン状態が継続している間は、常にライブビュー画像のブレ補正が行われる。一方、ファーストレリーズがオフになると、ライブビュー画像の補正が終了し、上記ステップＳ２へ移行してファーストレリーズ待ち状態に戻る。
【００４１】
ステップＳ８では、レリーズスイッチに対応したシャッタ釦の全押し動作（セカンドレリーズ；２Ｒ）の状態が検出される。そして、ファーストレリーズのオン状態が継続されたままセカンドレリーズがオンにされると、ステップＳ９へ移行して、その直前のライブビュー画像の切り出し位置がＭμｃｏｍ２５内の図示されないＲＡＭに記憶される。次いで、ステップＳ１０にてライブビュー画像の表示が終了する。一方、上記ステップＳ８にてセカンドレリーズがオン状態でない場合はライブビュー画像の表示を継続する。
【００４２】
その後、ステップＳ１１にて、ブレ補正量の送信先がＭμｃｏｍ２５からブレ補正駆動回路６２に切り替えられる。次いで、ステップＳ１２にて、ブレ補正駆動機構６３が駆動されてＣＣＤユニット２２のシフト補正が開始される。
【００４３】
次に、ステップＳ１３では露光動作が行われ、この露光動作が終了すると、ステップＳ１４にてＣＣＤユニット２２のシフト補正が停止されて初期位置へ駆動される。その後、ステップＳ１５にて、ライブビュー画像の表示が再び開始される。更に、ステップＳ１６では、撮像された静止画像が、Ｍμｃｏｍ２５の内部でＪＰＥＧデータに変換され、上述した画像切り出し位置が、Ｅｘｉｆに準拠したヘッダ情報として画像データと共に記録メディア３３に記録される。
【００４４】
例えば、図４に於いて、撮像範囲を７０、画像出力範囲を７１とした場合に、手ブレが生じる前のＣＣＤユニット２２に結像される被写体画像７２は、図４（ａ）に示されるようになる。図４（ｂ）は、ブレが生じて被写体７２の位置が移動した状態を示した図、（ｃ）は被写体７２の移動分だけ画像出力範囲７１が移動した状態を示した図である。
【００４５】
静止画の露光直前の画像切り出し位置が図４（ｃ）に示される位置であったとき、図５（ａ）に示される２点Ａ・Ｂの位置の座標が記録される。その後、上記ステップＳ２へ移行して、ファーストレリーズ待ち状態になる。
【００４６】
また、撮像された静止画は、Ｍμｃｏｍ２５内部で記憶された画像切り出し位置に従って、撮影直前に表示されていた画像部分のみが切り出された後でＪＰＥＧデータに変換されて、記録メディア３３に記録されるようにしてもよい。
【００４７】
この場合は、図３（ｂ）のフローチャートに従って、本実施形態に於けるカメラシステムの静止画撮影モード時の動作処理を行うようにすればよい。この図３（ｂ）にフローチャートは、上述した図３（ａ）のフローチャートに於けるステップＳ１６をステップＳ１６′に置き換える以外は、図３（ａ）のフローチャートと同じである。したがって、ステップＳ１〜Ｓ１５の動作処理は図３（ａ）と同じであるので説明は省略する。
【００４８】
すなわち、ステップＳ１６′では、切り出し位置情報に応じて画像データがトリミングされると共に、このトリミングされた画像から画像ファイルが作成されて記録メディア３３に格納される。
【００４９】
次に、図６のフローチャートを参照して、操作者によってカメラが静止画像再生モード若しくは画像トリミングモードに設定されている場合の動作例について説明する。
【００５０】
操作者により、カメラが静止画像再生モード若しくは画像トリミングモードに設定されると、先ずステップＳ２１にて、再生される画像の駒番号の初期値、すなわち、最後に撮影された画像の駒番号が設定される。次いで、ステップＳ２２にて、記録メディア３３より、上記ステップＳ２１で設定された駒番号の画像データの読み出しが行われる。更に、ステップＳ２３では、ヘッダの切り出し位置情報の読み出しが行われて、画像上に切り出し位置情報を示すフレームが合成されて液晶モニタ３５に表示される。
【００５１】
例えば、図５（ａ）に示される被写体７８の画像の再生が選択された場合は、図５（ｂ）に示されるようになる。すなわち、全記録画像範囲７５に対して切り出し画像範囲を７６とすると、被写体７８を含む画像がフレーム７７と共に表示される。
【００５２】
次に、ステップＳ２４に於いて、操作者によってカメラ操作スイッチ４０内の図示されない駒番号変更スイッチ（ＳＷ）が操作されたか否かが判定される。ここで、上記駒番号変更スイッチが操作されたならばステップＳ２５へ移行し、操作されなければステップＳ２６へ移行する。
【００５３】
ステップＳ２５では、スイッチの操作に応じて駒番号がアップ（ＵＰ）／ダウン（ＤＯＷＮ）されて、液晶モニタ３５に表示される画像が変更される。その後、上記ステップＳ２２へ移行する。
【００５４】
ステップＳ２６に於いては、カメラ操作スイッチ４０内の図示されないトリミング位置設定スイッチ（ＳＷ）が操作されたか否かが判定される。ここで、上記トリミング位置設定スイッチが操作されると、ステップＳ２７へ移行して、該スイッチの操作に応じて、液晶モニタ３５に表示される切り出し位置情報を示すフレームの位置が変更される。その後、ステップＳ２８へ移行する。また、上記ステップＳ２６にてトリミング位置設定スイッチが操作されない場合は、ステップＳ２７をスキップする。
【００５５】
ステップＳ２８に於いては、操作者によってカメラ操作スイッチ４０内の図示されない格納スイッチ（ＳＷ）が操作されたか否かが判定される。ここで、該格納スイッチが操作されない場合は上記ステップＳ２４へ移行して以降の処理が繰り返される。一方、上記格納スイッチが操作されたならば、ステップＳ２９へ移行する。
【００５６】
ステップＳ２９では、切り出し位置情報を示すフレームの位置に従って画像データのトリミングが行われ、ＪＰＥＧファイルに変換される。更に、ステップＳ３０では、記録メディア３３にデータが格納される。その後、上記ステップＳ２４へ移行して以降の処理が繰り返される。
【００５７】
以上のように第１の実施形態によれば、静止画撮影直前のライブビュー画像表示の画角と、撮影された静止画像とが、撮影者の意図と異なっていた場合でも、意図した画角の静止画像を容易に再現することができる。
【００５８】
尚、上述した第１の実施形態では、手ブレ補正ユニットをボディユニット２０側に設けて、ＣＣＤユニット２２を駆動してブレ補正を行うようにしていたが、これに限られるものではない。
【００５９】
例えば、図７に示されるように、レンズユニット側に手ブレ補正ユニットを設けて、撮影レンズの一部を変移させるようにしてブレ補正を行うようにしてもよい。
【００６０】
図７に於いては、レンズユニット５０内の撮影レンズ１１とシャッタ１３の間にブレ補正レンズ５１が設けられている。このブレ補正レンズ５１は、手ブレ補正ユニットによって該ブレ補正レンズ５１の光軸と直交する方向に駆動されるようになっている。
【００６１】
図７に示されるカメラシステムのその他の部分の構成及びシステムの基本的な動作については、図１乃至図６に示される第１の実施形態と同じであるので、これらの構成及び動作については、同一の部分には同一の参照番号を付して、その図示及び説明は省略する。
【００６２】
また、図８は、上述した切り出し位置情報を、画像のヘッダではなく別ファイルに記録する例を示した図である。
【００６３】
画像切り出し位置情報の記録方法としては、画像ファイルのヘッダ情報として記録する方法の他に、図８に示されるように、画像切り出し位置情報を別ファイルとして、画像と関連付けて保存する方法がある。
【００６４】
図８に於いて、画像を記録するためのフォルダ（ディレクトリ）８１のＤＣＩＭの下位に、２つのフォルダ８２及び８３が形成されている。例えば、フォルダ８２の１００ＩＭＧには、画像ファイル（例えばＪＰＥＧファイル）１，２，３，…が記憶されている。また。フォルダ８３のＴＲＩＭＩＭＧには管理情報を記録したファィルである切り出し位置情報１，２，３，…のファイルが、例えばＴＥＸＴファイル形式で記憶されている。
【００６５】
画像ファイルと切り出し位置情報ファイルとの対応は、ファイル名に添付された番号によってなされる。例えば、“画像ファィル３”の切り出し位置情報は、“切り出し位置情報３”に格納されている。
【００６６】
このように、画像切り出し位置情報を別ファイルとして、画像と関連付けて保存するようにしてもよい。
【００６７】
（第２の実施形態）
次に、本発明の第２の実施形態について説明する。
【００６８】
図９は、本発明の第２の実施形態に係る撮像装置としてのカメラシステム構成を示すブロック図である。
【００６９】
図９に於いて、このカメラシステムは、脱着可能なレンズユニット９０と、ボディユニット１００とから主に構成されている。
【００７０】
上記レンズユニット９０は、撮影レンズ９１と、絞り９２と、レンズ駆動機構９３と、絞り駆動機構９４と、レンズ制御用マイクロコンピュータ（以下、Ｌμｃｏｍと略記する）９５とを有して構成されている。
【００７１】
上記撮影レンズ９１は、レンズ駆動機構９３からの出力を受けて、該レンズ駆動機構９３内に存在する図示されないＤＣモータによって、光軸方向に駆動される。これにより、ズーム、フォーカス等の調節が行われる。また、絞り９２は、絞り駆動機構９４からの出力を受けて、該絞り駆動機構９４内の図示されないモータによって駆動される。上記レンズ駆動機構９３及び絞り駆動機構９４は、後述するカメラボディ制御用マイクロコンピュータ１２５からの指令に従ってＬμｃｏｍ９５によって制御される。
【００７２】
一方、ボディユニット１００は、以下のように構成されている。
【００７３】
レンズユニット９０内の撮影レンズ９１、絞り９２を介して入射される図示されない被写体からの光束は、第１ミラーとしてのクイックリターンミラー１０１で反射され、第２ミラー１０２、第３ミラー１０３、第４ミラー１０４等を含むファィンダ光学系（図１０乃至図１２参照、詳細は後述する）を介して、接眼光学系の接眼レンズ（アイピース）１０５に至る。また、クイックリターンミラー１０１で反射された被写体光束の一部は、第２ミラー１０２を介して、自動測距を行うための焦点位置検出手段であるＡＦセンサユニット１０７及び測光センサ１０８に導かれる。
【００７４】
上記クイックリターンミラー１０１の後方には、撮影レンズ９１の光軸上に、フォーカルプレーン式のシャッタ１１１と、光学ローパスフィルタ１１２と、光学系を通過した被写体像を光電変換するためのＣＣＤユニット１１３が設けられている。つまり、クイックリターンミラー１０１が光路より退避した場合、撮影レンズ９１及び絞り９２を通った光束は、ＣＣＤユニット１１３の撮像面上に結像される。
【００７５】
尚、上記ＣＣＤユニット１１３のＣＣＤの撮像範囲の長手方向とカメラ（ボディユニット１００）の長手方向は一致している。また、カメラシステムの撮影視野範囲の長手方向もカメラの長手方向と同一方向である。
【００７６】
このボディユニット１００は、画像処理を行うための画像処理コントローラ１１６を有しており、この画像処理コントローラ１１６には、ＣＣＤユニット１１３に接続されたＣＣＤインターフェース回路１１５と、記憶領域として設けられたＳＤＲＡＭ１１８、ＦｌａｓｈＲｏｍ１１９及び記録メディア１２０と、液晶モニタ１２１等が接続されている。
【００７７】
更に、液晶モニタ１２１には、画像処理コントローラ１２４が接続されている。そして、この画像処理コントローラ１２４には、ＣＣＤインターフェース回路１２８を介して、後述する第３ミラー１０３の裏面に配置された撮像ユニット１２９が接続されている。これらは、電子撮像機能と共に電子記録表示機能を提供できるように構成されている。
【００７８】
上記記録メディア１２０は、図示されないカメラのインターフェースを介してボディユニット１００に対し脱着可能な各種のメモリカードや外付けのハードディスクドライブ（ＨＤＤ）等の外部記録媒体である。
【００７９】
上記画像処理コントローラ１１６及び１２４は、測光回路１３０を介した測光センサ１０８と、ストロボ制御回路１３１を介したストロボ装置１３２と、ＡＦセンサ駆動回路１３３と、ミラー駆動機構１３４と、シャッタ制御回路１３５と、シャッタチャージ機構１３６と、不揮発性メモリ（ＥＥＰＲＯＭ）１３７等と共に、このボディユニット１００内の各部を制御するためのボディ制御用マイクロコンピュータ（以下、Ｂμｃｏｍと略記する）１２５に接続されている。
【００８０】
上記Ｂμｃｏｍ１２５には、更に、当該カメラの動作状態を表示出力によって撮影者へ告知するための動作表示用ＬＣＤ１４１と、カメラ操作スイッチ（ＳＷ）１４２と、電源回路１４３を介して電池１４４とが接続されている。
【００８１】
尚、上記Ｂμｃｏｍ１２５と上記Ｌμｃｏｍ９５とは、レンズユニット９０の装着時に於いて、通信コネクタ１２６を介して通信可能に電気的接続がなされる。そして、デジタルカメラとしてＬμｃｏｍ９５がＢμｃｏｍ１２５に従属的に協働しながら稼動するようになっている。
【００８２】
上記測光回路１３０は、測光センサ１０８の電気信号に基づいて測光処理する回路である。上記ミラー駆動機構１３４はクイックリターンミラー１０１を駆動制御する機構であり、ＡＦセンサ駆動回路１３３は上記ＡＦセンサユニット１０７を駆動制御するための回路である。
【００８３】
また、シャッタチャージ機構１３６は、上記シャッタ１１１の先幕と後幕を駆動するばねをチャージするものである。シャッタ制御回路１３５は、上記シャッタ１１１の先幕と後幕の動きを制御すると共に、Ｂμｃｏｍ１２５との間でシャッタの開閉動作を制御する信号とストロボと同調する信号の授受を行う。
【００８４】
不揮発性メモリ１３７は、上述したＳＤＲＡＭ１１８、ＦｌａｓｈＲｏｍ１１９、記録メディア１２０以外の記憶領域として、カメラ制御に必要な所定の制御パラメータを記憶する記憶手段であり、Ｂμｃｏｍ１２５からアクセス可能に設けられている。
【００８５】
ストロボ装置１３２は、図示されない閃光発光管を有して被写体に閃光を照射する閃光発光装置である。そして、ストロボ制御回路１３１にて、ストロボ装置１３２の閃光発光管の発光に必要な電荷の充電制御や、ストロボ装置１３２の発光制御が行われる。
【００８６】
動作表示用ＬＣＤ１４１は、当該カメラの動作状態を表示出力によって操作者へ告知するためのものである。上記カメラ操作スイッチ１４２は切り替え手段として、例えば撮影動作の実行を指示すると共に後述するようにクイックリターンミラー１０１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００８７】
更に、電源回路１４３は、電源としての電池１４４の電圧を、当該カメラシステムの各回路ユニットが必要とする電圧に変換して供給するために設けられている。
【００８８】
次に、上述したファインダ光学系について、図１０乃至図１２を参照して説明する。
【００８９】
図１０乃至図１２は、第２の実施形態に於いてファインダ観察状態であってファインダ光学系及びＡＦセンサユニット１０７の主要構成部材をカメラボディに組み込んだ状態の配置を示したもので、図１０は撮影レンズ側から見た正面図、図１１はカメラボディの上面側より見た図、図１２は主要構成部材の配置を示した斜視図である。
【００９０】
また、以下の説明に於いて、カメラの通常の使用状態、すなわち通常の撮影時に撮影者がカメラを構えた場合のカメラの状態を横位置として、ボディユニット１００の長手方向を視野範囲の長手方向と一致させて水平方向としている。
【００９１】
ファインダ光学系は、レンズユニット９０内の撮影レンズ９１を通過した被写体からの光束をアイピース１０５へと導くための複数のミラー、すなわち第１ミラーとしてのクイックリターンミラー１０１と、第２ミラー１０２と、第３ミラー１０３と、第４ミラー１０４と、スクリーン１５１とを有して構成される。
【００９２】
そして、クイックリターンミラー１０１は第１の反射面（第１の光学反射面）を有し、第２ミラー１０２、第３ミラー１０３及び第４ミラー１０４は、それぞれ第２の反射面（第２の光学反射面）、第３の反射面（第３の光学反射面）及び第４の反射面（第４の光学反射面）を形成している。
【００９３】
尚、第２ミラー１０２及び第３ミラー１０３は、ハーフミラーにより構成されている。ここで、光束の一部を所定の割合で透過させる光学部材をハーフミラー、或いは半透過ミラーと称するが、必ずしも５０％でなくともよく、例えば３０％であってもよい。
【００９４】
上記撮影レンズ９１を通過した被写体からの光束は、図示矢印Ｃ方向に回動可能な第１の反射面（第１の光学反射面）としてのクイックリターンミラー１０１に至る。このクイックリターンミラー１０１は、被写体観察時は図１０に実線で示されるように、撮影レンズ９１とＣＣＤユニット１１３との間であって、撮影レンズ９１の撮影光路内に配置される。そして、撮像時は、クイックリターンミラー１０１はミラー駆動機構１３４によって、図１０に二点鎖線で示される位置に移動、すなわち撮影光路より退避されて、被写体からの光束が、シャッタ１１１、光学ローパスフィルタ１１２を介してＣＣＤユニット１１３に導かれるようになっている。尚、１１４はＣＣＤユニット１１３と光学ローパスフィルタ１１２との間を封止するためのシール部材である。
【００９５】
被写体観察時、第１の反射部材であるクイックリターンミラー（第１の反射面）１０１にて、撮影レンズ９１から入射した被写体光束は、撮影レンズ９１の光軸に対し略９０°の角度であって、ボディユニット１００の長手方向に沿う方向に反射される。つまり、図１０に於いて右方向に反射される。
【００９６】
クイックリターンミラー１０１の第１反射面にて反射された光束は、該第１反射面の反射光軸上に配置されたスクリーン１５１上に結像する。更に、このスクリーン１５１上の像からの光束は、第２の反射部材である第２ミラー１０２により反射される。
【００９７】
第２の反射面である第２ミラー１０２は、上記クイックリターンミラー１０１からの反射光軸上であって、その反射面である第２の反射面が上記第１の反射面からの反射光軸に対し、所定の角度だけ傾いて配置されている。そして、第２ミラー１０２に入射した上記クイックリターンミラー１０１からの反射光束は、第２ミラー１０２の第２の反射面にて、図１１に於いてボディユニット１００の上方に向けて反射される。
【００９８】
上記第２ミラー１０２の第２の反射面で反射された光束は、第２の反射面の反射光軸上であって、その反射面である第３の反射面が、上記第２の反射面の反射光軸に対し所定の角度だけ傾いて配置される第３ミラー１０３に入射する。
【００９９】
第３の反射面である第３ミラー１０３に入射した上記第２ミラー１０２からの反射光束は、第３ミラー１０３の第３の反射面にて、上記第２の反射面からの反射光軸に対し略９０°の角度であって、上記クイックリターンミラー１０１の第１の反射面による反射方向と相反する方向に反射される。つまり、第２ミラー１０２の第２の反射面からの反射光束は、第３ミラー１０３の第３の反射面にて、図１０に於いてボディユニット１００の左方向に向けて反射する。換言すれば、クイックリターンミラー１０１の第１の反射面にて反射された光束は、第２、第３ミラー１０２、１０３によって折り返すように導かれ、第３ミラー１０３の第３の反射面の反射光軸は、上記クイックリターンミラー１０１の第１の反射面の反射光軸と略平行となる。
【０１００】
上記第３ミラー１０３の第３の反射面で反射された光束は、該第３の反射面の反射光軸上であって、その反射面である第４の反射面が上記第３ミラー１０３の第３の反射面の反射光軸に対し所定の角度だけ傾いて配置される第４ミラー１０４に入射する。
【０１０１】
第４の反射面である第４ミラー１０４に入射した上記第３ミラー１０３からの反射光束は、第４ミラー１０４の第４の反射面にて、上記第３ミラー１０３からの反射光軸に対し略９０°の角度であって、上記撮影レンズ９１からクイックリターンミラー１０１への入射方向と相反する方向に反射される。つまり、第３ミラー１０３の第３反射面からの反射光束は、第４ミラー１０４の第４の反射面にて、図１０に於いて上方、すなわちボディユニット１００の後方に向けて反射される。そして、第４の反射面の反射光軸は、上記撮影レンズ９１の光軸と略平行となっている。また、第４ミラー１０４の第４の反射面にて反射された光束は、第４の反射面の反射光軸上に配置されたアイピース１０５に入射する。
【０１０２】
このように、撮影レンズ９１からの被写体光束は、上述した第１乃至第４の反射面によって、その像が正立正像となるように反転されてアイピース１０５に導かれる。これにより、アイピース１０５を通して、撮影者の眼でスクリーン１５１上に結像した被写体像が観察可能となる。
【０１０３】
また、上記第２ミラー１０２の裏面側には、ＡＦセンサユニット１０７が配置されている。第２ミラー１０２はハーフミラーにより構成されているので、上述したように、スクリーン１５１に導かれた光束の一部が、第２ミラー１０２を透過してＡＦセンサユニット１０７に入射される。
【０１０４】
ＡＦセンサユニット１０７は、スクリーン１５１に対して正対して配置されており、２次結像レンズによって作られる像を瞳分割して光電素子に導くことで、位相差方式のＡＦセンサユニットを構成している。ここで、ＡＦセンサユニット１０７は、第２ミラー１０２の第２の反射面の裏面側に配置することで、画面全域をカバーした広視野のＡＦを実現することができる。
【０１０５】
同様に、上記スクリーン１５１からの光束に対して電気信号を出力する測光センサ１０８が、クイックリターンミラー１０１の第１の反射面の反射光軸と交差して、第２ミラー１０２の第２の反射面の裏面側に設けられている。この測光センサ１０８の電気信号に基づいて、測光回路１３０にて測光処理がなされる。
【０１０６】
上記第３ミラー１０３の第３の反射面の裏面側には、撮像ユニット１２９が配設されている。この第３ミラー１０３もハーフミラーで構成されているので、スクリーン１５１からの光束に対して、２次結像する光学系により像を形成する。この形成された像は、撮像ユニット１２９にて光電変換され、ＣＣＤインターフェース回路１２８、画像処理コントローラ１２７で処理された後、ファインダ機能として液晶モニタ１２１に表示される。
【０１０７】
また、撮像ユニット１２９は光学系１２９ａとＣＣＤ１２９ｂとを有して成るもので、第４ミラー１０４の第４の反射面の裏面側に配置されている。したがって、この撮像ユニット１２９によって光学ファインダの光束を阻害することが無く、光学ファインダ表示と電子画表示の両方の表示を簡単に実現することができる。
【０１０８】
尚、本実施形態では、図１０乃至図１２に示されるように、クイックリターンミラー１０１、第２ミラー１０２、第３ミラー１０３及び第４ミラー１０４は、入射光束に対して略９０°の角度で反射するように配置しているが、これに限られるものではない。
【０１０９】
次に、このように構成されたカメラシステムの各部の動作について説明する。
【０１１０】
画像処理コントローラ１１６は、Ｂμｃｏｍ１２５からの指令に従って、ＣＣＤインターフェース回路１１５を制御して、ＣＣＤユニット１１３から画像データを取り込む。この画像データは、画像処理コントローラ１１６でビデオ信号に変換され、液晶モニタ１２１にて出力表示される。操作者は、この液晶モニタ１２１の表示画像から、撮影した画像のイメージを確認することができる。
【０１１１】
ＳＤＲＡＭ１１８は、画像データの一時的保管用メモリであり、画像データが変換される際のワークエリア等に使用される。また、この画像データは、ＪＰＥＧデータに変換された後には、記録メディア１２０に保管されるように設定されている。
【０１１２】
ミラー駆動機構１３４は、クイックリターンミラー１０１を撮影位置とファインダ観察位置に駆動するための機構である。このクイックリターンミラー１０１がファインダ観察位置にある場合は、撮影レンズ９１からの光束は、ハーフミラーを構成する第２ミラー１０２によって、ＡＦセンサユニット１０７側とファインダ側へと分割されて導かれる。ＡＦセンサユニット１０７内のＡＦセンサからの出力は、ＡＦセンサ駆動回路１３３を介してＢμｃｏｍ１２５へ送信されて、周知の測距処理が行われる。
【０１１３】
また、第４ミラー１０４に隣接するアイピース１０５からは、操作者が被写体を目視することができる。一方、第２ミラー１０２を透過したスクリーン１５１の結像光束の一部は、測光センサ１０８へ導かれ、ここで検知された光量に基づいて、測光回路１３０で周知の測光処理が行われる。
【０１１４】
手ブレ補正ユニット１４０の構成は、図２に於いて、カメラ制御用コントローラ（Ｍμｃｏｍ）２５をボディ制御用マイクロコンピュータ（Ｂμｃｏｍ）１２５に置き換え、光学ローパスフィルタ２１、ＣＣＤユニット２２をそれぞれ光学ローパスフィルタ１１２、ＣＣＤユニット１１３に置き換えたものと同様であるため、それぞれの構成部材を置き換えて、その他の構成については図２の手ブレ補正ユニット３８の説明を参照するものとして、ここでは説明は省略する。
【０１１５】
操作者によって静止画撮影準備動作の開始が指示されると、通信ラインを介してＢμｃｏｍ１２５にブレ補正量に応じた信号が送信される。Ｂμｃｏｍ１２５では、受信したブレ補正量に応じた信号に基づいて、画像処理コントローラ１２４にブレ補正のための画像切り出し位置を指示し、液晶モニタ１２１にブレの補正されたライブビュー画像が表示される。
【０１１６】
そして、操作者によって静止画撮影の開始が指示されると、ブレ補正駆動回路６２へブレ補正量に応じた信号が送信される。ＣＣＤユニット１１３は、ブレ補正駆動回路６２によって生成される電気信号により動作するブレ補正駆動機構６３内のモータ（図示せず）によって駆動される。ＣＣＤユニット１１３の駆動位置は、位置検出センサ６４によって検出され、Ｔμｃｏｍ６０に送られてフィードバック制御が行われる。
【０１１７】
次に、図１３のフローチャートを参照して、本発明の第２の実施形態に於けるカメラシステムの撮影時の動作例を説明する。
【０１１８】
カメラの電源がオンにされると、先ずステップＳ４１にて、ライブビュー画像の液晶モニタ１２１への出力表示が開始される。次いで、ステップＳ４２にて、レリーズスイッチに対応したシャッタ釦の半押し動作（ファーストレリーズ；１Ｒ）待ち状態となる。ここで、ファーストレリーズがオンにされると、ステップＳ４３へ移行する。
【０１１９】
ステップＳ４３では、ブレ検出部６１の動作が開始される。その後、ステップＳ４４にてブレ補正量演算が開始される。ここで演算されたブレ補正量は、ステップＳ４５にてＢμｃｏｍ１２５に送信される。そして、続くステップＳ４６にて、撮像ユニット１２９に結像された画像の切り出し位置がブレ補正量に応じた量だけ変更されることによって、ライブビュー画像のブレ補正が行われる。
【０１２０】
ここで、ステップＳ４７に於いて、ファーストレリーズの状態が検出される。その結果、ファーストレリーズのオン状態が継続している間は、常にライブビュー画像のブレ補正が行われる。一方、ファーストレリーズがオフになると、ライブビュー画像の補正が終了し、上記ステップＳ４２へ移行してファーストレリーズ待ち状態に戻る。
【０１２１】
ステップＳ４８では、レリーズスイッチに対応したシャッタ釦の全押し動作（セカンドレリーズ；２Ｒ）の状態が検出される。そして、ファーストレリーズのオン状態が継続されたままセカンドレリーズがオンにされると、ステップＳ４９へ移行して、ライブビュー画像の表示が終了する。更に、ステップＳ５０では、クイックリターンミラー１０１が光路より退避される。一方、上記ステップＳ４８にてセカンドレリーズがオン状態でない場合はライブビュー画像の表示を継続する。
【０１２２】
その後、ステップＳ５１にて、ブレ補正量の送信先がＢμｃｏｍ１２５からブレ補正駆動回路６２に切り替えられる。次いで、ステップＳ５２にて、ブレ補正駆動機構６３が駆動されてＣＣＤユニット１１３のシフト補正が開始される。
【０１２３】
次に、ステップＳ５３にて露光動作が行われ、この露光動作が終了すると、ステップＳ５４にてＣＣＤユニット１１３のシフト補正が停止されて初期位置へ駆動される。その後、ステップＳ５５にて、クイックリターンミラー１０１が退避位置より光路内に復帰されると、ステップＳ５６にてライブビュー画像の表示が再び開始される。そして、上述したフローチャートに従った動作の後、撮像された静止画像はＢμｃｏｍ１２５内部でＪＰＥＧデータに変換され、記録メディア１２０に記録される。
【０１２４】
その後、上記ステップＳ４２へ移行して、１Ｒ待ち状態になる。
【０１２５】
ここで、ＣＣＤユニット１１３と撮像ユニット１２９との関係について、図１４を参照して説明する。
【０１２６】
図１４に於いて、外側に示される円は、レンズユニット９０が形成するイメージサークル１５５である。また、イメージサークル１５５内の外側の長方形が撮像ユニット１２９の撮像範囲であり、内側の長方形がＣＣＤユニット１１３の撮像範囲である。つまり、イメージサークル１５５内では、撮像ユニット１２９の撮像範囲を、ＣＣＤユニット１１３の撮像範囲よりも広くとっている。
【０１２７】
ライブビュー画像の表示を行う場合は、撮像ユニット１２９の撮像範囲の中のＣＣＤユニット１１３の撮像範囲と同じ大きさの画像を切り出して、液晶モニタ１２１に表示する。そして、ライブビュー画像のブレ補正を行う場合は、図１４に示される、両者の撮像範囲の差となる図示斜線部の領域を利用して、画像の切り出しを変更することにより行う。
【０１２８】
このように、第２の実施形態によれば、ライブビュー画像表示用の撮像素子と静止画撮影用の撮像素子との２種類の撮像素子を有する撮像装置に於いて、ライブビュー画像表示時のブレ補正を電子的に行い、静止画撮影時のプレ補正を機械的に行った場合にも、ライブビュー画像表示の画角と撮影静止画の画角を同じにすることができる。
【０１２９】
尚、上述した第２の実施形態に於いては、機械式ブレ補正の一例として、ＣＣＤの位置をシフトする構造について示したが、これに限定されるものではない。例えば、図７に示されるように、撮影レンズの一部であるブレ補正レンズ５１を、撮影光軸に垂直な方向にシフトさせる等のものであってもよい。
【０１３０】
以上、本発明の実施形態について説明したが、本発明は上述した実施形態以外にも、本発明の要旨を逸脱しない範囲で種々の変形実施が可能である。
【図面の簡単な説明】
【０１３１】
【図１】本発明の第１の実施形態に係る撮像装置としてのカメラシステムの構成を示すブロック図である。
【図２】図１に示される手ブレ補正ユニット３８の構成を示すブロック図である。
【図３】本発明の第１の実施形態に於けるカメラシステムの静止画撮影モード時の動作例について説明するフローチャートである。
【図４】撮像範囲と画像出力範囲の例を示した図である。
【図５】全記録画像範囲と切り出し画像範囲の例を示した図である。
【図６】操作者によってカメラが静止画像再生モード若しくは画像トリミングモードに設定されている場合の動作例について説明するフローチャートである。
【図７】本発明の第１の実施形態に係る撮像装置としてのカメラシステムの別の構成例を示すブロック図である。
【図８】切り出し位置情報を、画像のヘッダではなく別ファイルに記録する例を示した図である。
【図９】本発明の第２の実施形態に係る撮像装置としてのカメラシステム構成を示すブロック図である。
【図１０】本発明の第２の実施形態に於いてファインダ観察状態であってファインダ光学系及びＡＦセンサユニット１０７の主要構成部材をカメラボディに組み込んだ状態の配置を示したもので、撮影レンズ側から見た正面図である。
【図１１】本発明の第２の実施形態に於いてファインダ観察状態であってファインダ光学系及びＡＦセンサユニット１０７の主要構成部材をカメラボディに組み込んだ状態の配置を示したもので、カメラボディの上面側より見た図である。
【図１２】本発明の第２の実施形態に於いてファインダ観察状態であってファインダ光学系及びＡＦセンサユニット１０７の主要構成部材をカメラボディに組み込んだ状態の配置を示したもので、主要構成部材の配置を示した斜視図である。
【図１３】本発明の第２の実施形態に於けるカメラシステムの撮影時の動作例を説明するフローチャートである。
【図１４】ＣＣＤユニット１１３と撮像ユニット１２９との関係について説明する図である。
【符号の説明】
【０１３２】
１０…レンズユニット、１１…撮影レンズ、１２…レンズ枠、１３…シャッタ、１４…シャッタ駆動機構、１５…レンズ駆動機構、１６…レンズ駆動回路、１７…シャッタ駆動回路、２０…ボディユニット、２１…光学ローパスフィルタ、２２…ＣＣＤユニット、２３…ＣＣＤインターフェース回路、２４…画像処理回路、２５…カメラ制御用コントローラ（Ｍμｃｏｍ）、２８…ストロボ制御回路、２９…ストロボ装置、３１…ＳＤＲＡＭ、３２…ＦｌａｓｈＲｏｍ、３３…記録メディア、３５…液晶モニタ、３６…不揮発性メモリ（ＥＥＰＲＯＭ）、３８…手ブレ補正ユニット、４０…カメラ操作スイッチ（ＳＷ）、４１…電源回路、６０…手ブレ補正制御用マイクロコンピュータ（Ｔμｃｏｍ）、６１…ブレ検出部、６２…ブレ補正駆動回路、６３…ブレ補正駆動機構、６４…位置検出センサ。
【図１】
2006261783.tif 000003
【図２】
2006261783.tif 000004
【図３】
2006261783.tif 000005
【図４】
2006261783.tif 000006
【図５】
2006261783.tif 000007
【図６】
2006261783.tif 000008
【図７】
2006261783.tif 000009
【図８】
2006261783.tif 000010
【図９】
2006261783.tif 000011
【図１０】
2006261783.tif 000012
【図１１】
2006261783.tif 000013
【図１２】
2006261783.tif 000014
【図１３】
2006261783.tif 000015
【図１４】
2006261783.tif 000016